(57)【特許請求の範囲】
【請求項１】
縁部を有してその表面に複数の接続用導体が設けられた回路基板と、この回路基板を収容するハウジングと、前記回路基板の各接続用導体に接続される複数の電線の端末にそれぞれ設けられ、かつ、対応する接続用導体と接触可能な接触部をそれぞれ有する複数の端子とを備えた電子回路ユニットに用いられる端子であって、
前記電線の端部に接続される電線接続部と、前記接続用導体に接続される基板接続部とを有し、
前記基板接続部は、前記接続用導体に弾性的に接触する第一接触部を含んでこの第一接触部の撓み変位を許容するように弾性変形が可能な第一弾性接触片と、前記第一接触部が接触する接続用導体と共通の接続用導体に弾性的に接触する第二接触部を含んでこの第二接触部の撓み変位を許容するように弾性変形が可能な第二弾性接触片とを有し、前記第一弾性接触片と前記第二弾性接触片とは、互いに独立して弾性変形が可能であり、かつ、互いにその固有振動数が異なる形状を有し、
前記第一弾性接触片及び前記第二弾性接触片は、撓み変位可能な方向と直交する特定の長手方向に延びる形状を有し、かつ、その長手方向について互いに異なる長さを有し、
前記第一接触部は、前記第一弾性接触片の前記長手方向の一端に形成されており、前記第一弾性接触片は、前記第一接触部が当該第一弾性接触片の前記長手方向の他端を支点として撓み変位するように弾性変形が可能であり、
前記第二接触部は、前記第二弾性接触片の前記長手方向の一端に形成されており、前記第二弾性接触片は、前記第二接触部が当該第二弾性接触片の前記長手方向の他端を支点として撓み変位するように弾性変形が可能であり、
前記第一弾性接触片及び前記第二弾性接触片は、それぞれの長手方向が平行となり、かつ、前記長手方向及びそれぞれの厚み方向の双方に直交する並び方向に互いに隣接して配置されており、
前記第一弾性接触片の他端は、金属板が折り返されることにより形成され、前記第二弾性接触片の他端は、前記金属板が折り返されることにより形成され、前記第一弾性接触片の他端と前記第二弾性接触片の他端とは、前記第一接触部及び前記第二接触部が互いに前記並び方向に隣接するように前記金属板のうちの前記長手方向に互いに離間する部位がそれぞれ折り返されることにより形成されている端子。
【発明の詳細な説明】
【技術分野】
【０００１】
本発明は、自動車等の車両に搭載され、複数本の電線を介して外部回路に接続されることが可能な電子回路ユニットに用いられる端子に関するものである。
【背景技術】
【０００２】
従来、車両に搭載される電子回路ユニットとして、電子回路が組込まれた回路基板と、この回路基板上の接続用導体に外部接続用の電線を接続するための基板用コネクタとを備えたものが多く知られている。さらに、その基板用コネクタとして、当該回路基板の縁部に装着される、いわゆるカードエッジ型のコネクタが知られている。このようなコネクタとして、例えば下記特許文献１に示すものが挙げられる。
【０００３】
特許文献１に記載のカードエッジコネクタは、図８に示すように、その縁部に接続用導体１１１を有する回路基板１１０と、この回路基板１１０を収容する基板側ハウジング１２０と、電線の先端に装着されており前記接続用導体１１１に接続される端子１３０と、この端子１３０を収容する電線側ハウジング１４０とを有する。そして、端子１３０は、詳細には、図９に示すように、電線の先端に装着される電線接続部１３１と、回路基板の接続用導体に接続される基板接続部１３２とを有する。基板接続部１３２は、四角筒状の本体部１３３と、この本体部１３３と一体的に成形された弾性接触片１３４と、本体部１３３の内部に組み込まれた付勢部材１３５とを有する。弾性接触片１３４は、端子１３０を電線側ハウジング１４０に挿入する方向（図９では左右方向）に長い形状を有し、その基端部１３４ａ（図９では左端）で本体部１３３と一体につながっており、当該基端部１３４ａとは反対側（図９では右側）に前記接続用導体１１１と接触する接触部１３４ｂを有する。この弾性接触片１３４は、その基端部１３４ａを支点として、前記接触部１３４ｂがその長手方向と直交する方向（図９では上下方向）に撓み変位する。本体部１３３は、その下面（図９では下側の面）に開口部１３３ａを有しており、前記接触部１３４ｂがこの開口部１３３ａから本体部１３３の外側に突出している。付勢部材１３５は、圧縮状態で本体部１３３内に組み込まれており、自身の弾性復帰力によって前記接触部１３４ｂを本体部１３３の内側から外側に向けて付勢するものである。図８に示すように、この端子１３０は、前記基板側ハウジング１２０に挿入されてその接触部１３４ｂが前記接続用導体１１１と接触した状態で、当該接触部１３４ｂが前記付勢部材１３５の反力に抗して本体部１３３の内側に没入する。そして、圧縮された付勢部材１３５の弾発力により、接触部１３４ｂが前記接続用導体１１１に圧接される。
【先行技術文献】
【特許文献】
【０００４】
【特許文献１】特開２００８−０９８０６４号公報
【発明の概要】
【発明が解決しようとする課題】
【０００５】
上記特許文献１に記載のカードエッジコネクタは車両に搭載されるものであるので、車両の走行時等に起振力を受ける。これにより、前記端子１３０の弾性接触片１３４がその基端部１３４ａを支点として僅かに振動する可能性がある。通常、付勢部材１３５が前記接触部１３４ｂを前記接続用導体１１１に圧接させるように付勢していることから、弾性接触片１３４が僅かに振動する程度では、その接触部１３４ｂと前記接続用導体１１１との接触信頼性に影響はしない。しかしながら、車両の振動数と、前記弾性接触片１３４のもつ固有振動数とが一致した場合、当該弾性接触片１３４は共振して激しく振動するおそれがあり、これにより、前記接触部１３４ｂと前記接続用導体１１１との接触圧が著しく低下することによる両者の接触信頼性の低下が懸念される。
【０００６】
この発明は、上記のような課題を解決するためになされたものであり、電子回路ユニットに用いられる端子であって、弾性接触片が共振しても、接触信頼性の低下を抑制することが可能なものを提供することを目的とする。
【課題を解決するための手段】
【０００７】
前記課題を解決するための手段として、本発明は、縁部を有してその表面に複数の接続用導体が設けられる回路基板と、この回路基板を収容するハウジングと、前記回路基板の各接続用導体に接続される複数の電線の端末にそれぞれ設けられ、かつ、対応する接続用導体と接触可能な接触部をそれぞれ有する複数の端子とを備えた電子回路ユニットに用いられる端子であって、前記電線の端部に接続される電線接続部と、前記接続用導体に接続される基板接続部とを有し、前記基板接続部は、前記接続用導体に弾性的に接触する第一接触部を含んでこの第一接触部の撓み変位を許容するように弾性変形が可能な第一弾性接触片と、前記第一接触部が接触する接続用導体と共通の接続用導体に弾性的に接触する第二接触部を含んでこの第二接触部の撓み変位を許容するように弾性変形が可能な第二弾性接触片とを有し、前記第一弾性接触片と前記第二弾性接触片とは、互いに独立して弾性変形が可能であり、かつ、互いにその固有振動数が異なる形状を有する端子を提供する。ここで、「第一接触部が接触する接続用導体と共通の接続用導体」とは、第一接触部と第二接触部とに同時に接触可能な形状を有する単一の導体からなるものや、第一接触部と接触する導体と第二接触部と接触する導体とが互いに独立した形状を有し、かつ、これらが配線でつながれることにより単一の接続用導体と見ることのできるもの等を含む。
【０００８】
この発明の端子は、前記基板接続部が前記第一弾性接触片と前記第二弾性接触片とを有し、これらは互いに独立して弾性変形が可能であり、かつ、互いにその固有振動数が異なる形状を有するので、いずれか一方の弾性接触片が共振しても、もう一方の弾性接触片は、共振することなくその接触部が前記接続用導体と安定的な接触を維持する。これにより、当該端子と前記接続用導体との接触信頼性の低下を抑制することができる。
【０００９】
この場合において、前記第一弾性接触片及び前記第二弾性接触片は、ともに一方向に長い形状を有し、互いにその長手方向の長さが異なることが好ましい。
【００１０】
このようにすれば、両弾性接触片の固有振動数を互いに異ならせることが容易となる。
【００１１】
さらにこの場合において、前記第一弾性接触片は、一端に前記第一接触部を有し、この第一接触部が当該第一弾性接触片の他端を支点として撓み変位するように弾性変形が可能であり、前記第二弾性接触片は、一端に前記第二接触部を有し、この第二接触部が当該第二弾性接触片の他端を支点として撓み変位するように弾性変形が可能であり、前記第一弾性接触片及び前記第二弾性接触片は、それぞれの長手方向が平行となり、かつ、前記長手方向及びそれぞれの厚み方向に直交する方向に互いに隣接して配置されたことが好ましい。
【００１２】
このようにすれば、前記第一弾性接触片及び前記第二弾性接触片は、それぞれの長手方向が平行となり、かつ、前記長手方向及びそれぞれの厚み方向に直交する方向に互いに隣接して配置されるので、これら両弾性接触片を有する前記基板接続部が小型化される。具体的には、当該基板接続部における前記第一弾性接触片及び前記第二弾性接触片の厚み方向の長さ寸法と、前記長手方向及び前記厚み方向に直交する方向の長さ寸法が短縮される。
【００１３】
さらにまた、前記第一弾性接触片及び前記第二弾性接触片は、前記第一接触部及び前記第二接触部が互いに隣接するように、それぞれの他端が前記長手方向に互いに離間して配置されたことが好ましい。
【００１４】
このようにすれば、両接触部の前記接続用導体への接触が容易となり、また、当該接続用導体の小型化が可能となる。
【発明の効果】
【００１５】
以上のように、本発明によれば、電子回路ユニットに用いられる端子であって、弾性接触片が共振しても、接触信頼性の低下を抑制することが可能なものを提供することができる。
【図面の簡単な説明】
【００１６】
【図１】本発明の第一実施形態の電子回路ユニットの斜視図である。
【図２】図１の電子回路ユニットの構造を説明する断面図である。
【図３】図１に示す電子回路ユニットの端子の斜視図である。
【図４】図３に示す端子を異なる角度から見た状態を示す斜視図である。
【図５】図３に示す端子の一部を省略した状態の平面図である。
【図６】図５に示す端子の一部を省略しないもののＶＩ−ＶＩ線における断面図である。
【図７】図５に示す端子の一部を省略しないもののＶＩＩ−ＶＩＩ線における断面図である。
【図８】特許文献１に記載される従来の電子回路ユニットの要部を示す斜視図である。
【図９】図８に示す従来の電子回路ユニットの端子の断面図である。
【発明を実施するための形態】
【００１７】
本発明の一実施形態の電子回路ユニットについて、図１ないし図７を参照しながら説明する。以下の説明において、後述の複数の接続用導体１２ａの並び方向をＸ軸方向又は左右方向とし、回路基板１０の厚み方向をＺ軸方向又は上下方向とし、Ｘ軸とＺ軸とに直交する方向をＹ軸方向又は前後方向とする。ここで、図１及び図２では、後述の電線Ｗが一本だけ挿入された状態を示す。また、図２では、後述の第一接触部３４ａが回路基板１０内に没入した状態を示すが、実際は、この没入している寸法分だけ第一接触部３４ａが上方へ変位し、それにより所定の接触圧で回路基板１０に接触する。
【００１８】
本実施形態における電子回路ユニットは、回路基板１０と、この回路基板１０を収容するハウジング２０と、回路基板１０に接続される端子３０と、ハウジング２０に装着されるリテーナ４０とを備える。
【００１９】
回路基板１０は、例えばその表裏面に回路構成用の配線パターン（不図示）が設けられたプリント配線板からなり、その表面に回路を構成する電子部品が実装される。この回路基板１０は、Ｙ軸方向の一方側（図２では後ろ側）に第一縁部１１を有し、他方側（図２では前側）に第二縁部１２を有する。第一縁部１１は、その表裏面に複数の接続用導体を有し、第二縁部１２も、その表裏面に複数の接続用導体１２ａを有する。これらの複数の接続用導体は、当該回路基板１０の幅方向（Ｘ軸方向）に並ぶように設けられる。
【００２０】
ハウジング２０は、合成樹脂等の絶縁材料からなり、回路基板１０を収容する基板収容部２１と、電線Ｗを収容する電線収容部２８と、当該ハウジング２０のＺ軸方向の中間位置に設けられた中間壁２９とを有する。このハウジング２０は、当該ハウジング２０と同形状を有するもう一つのハウジング（不図示）と接続されることにより、回路基板１０を完全に収容可能である。なお、ハウジング２０としては、電線Ｗ及び端子３０を保持する部位を有していればよく、その他の部位は省略が可能である。
【００２１】
基板収容部２１は、特定方向（図１及び図２の前方）へ開口し、回路基板１０がその厚み方向と直交する方向（図２のＹ軸方向）に挿入され、かつ、収容されることを許容する形状を有する。具体的には、回路基板１０を収容可能な空間を形成する上壁２２、第一側壁２３、第二側壁２４及び底壁２５と、これらの各壁２２〜２５における電線収容部２８側（後端側）に設けられた後壁２６とを有する。そして、後壁２６から前方へ向かって延びる形状を有しており端子３０を保持する端子保持壁２７を有する。上壁２２及び底壁２５は互いに平行な姿勢で上下に配置され、第一側壁２３及び第二側壁２４は、互いに平行な姿勢で左右に配置される。そして、これら上壁２２、第一側壁２３、第二側壁２４及び底壁２５は、四角筒体を構成する。
【００２２】
上壁２２は、その前端近傍に設けられた係止部２２ａと、当該ハウジング２０と対をなすもう一つのハウジングとの接続を案内する案内壁２２ｂと、この案内壁２２ｂの上面に設けられた被係止部２２ｃとを有する。係止部２２ａは、上壁２２の前端近傍おけるＸ軸方向の一方側（図１では左側）に偏倚した位置に設けられ、案内壁２２ｂは、上壁２２のＸ軸方向の他方側（図１では右側）に偏倚した位置に設けられる。案内壁２２ｂは前方へ突出する形状を有し、被係止部２２ｃは係止部２２ａに係合可能な形状を有する。第一側壁２３は、その内面におけるＺ軸方向の中間位置に溝２３ａを有する。この溝２３ａは、当該第一側壁２３の前端から後端に向けてＹ軸方向に延びる形状を有する。第二側壁２４は、当該ハウジング２０と対をなすもう一つのハウジングとの接続を案内する案内壁２４ａと、この案内壁２４ａの外面におけるＺ軸方向の中間位置に設けられた突部２４ｂとを有する。案内壁２４ａは前方へ突出する形状を有し、突部２４ｂは当該第二側壁２４の前端から後端に向けてＹ軸方向に延びる形状を有する。またこの突部２４ｂは、溝２３ａに嵌まり込むことが可能な形状を有する。底壁２５は、その前端近傍に設けられた係止部２５ａを有する。この係止部２５ａは、当該ハウジング２０と対をなすもう一つのハウジングに設けられた被係止部（不図示）と係合可能な形状を有する。後壁２６は、電線収容部２８側から挿入される端子３０を受け入れ可能な空間を残して上壁２２、第一側壁２３、第二側壁２４及び底壁２５の各後端側をつなぐ形状を有する。
【００２３】
端子保持壁２７は、後壁２６から前方へ向かって延びる形状の周壁２７ａと、この周壁２７ａから前方に延びるランス２７ｂと、周壁２７ａの前端に位置する前壁２７ｅとを有する。周壁２７ａは、電線収容部２８側から挿入された各端子３０を一括して取り囲む形状を有する。ランス２７ｂは、各端子３０を係止するためのものであり、その後端を支点として前端が端子３０から退避する向きに撓み変位する撓み係止片２７ｃと、この撓み係止片２７ｃに設けられた係止突起２７ｄとを有する。この係止突起２７ｄは、端子３０の挿入完了時点で当該端子３０を係止する。前壁２７ｅは、端子３０の前端と当接することにより当該端子３０の挿入位置を決定する。この端子保持壁２７は、後述の中間壁２９における前部２９ａとともに端子を保持する端子保持部を構成する。この端子保持部は、中間壁２９を挟んで上下二列に配置され、各列の端子保持部は、Ｘ軸方向に並ぶように配置された各端子３０を保持する。ここで、上側の列に配置された各端子保持部は、後述する端子３０の第一接触部３４ａ及び第二接触部３５ａが下方を向くように当該端子３０を保持し、下側の列に配置された各端子保持部は、端子３０の第一接触部３４ａ及び第二接触部３５ａが上方を向くように当該端子３０を保持する。
【００２４】
電線収容部２８は、基板収容部２１の後方に隣接するように当該基板収容部２１と一体的に成形される。この電線収容部２８は、複数の電線収容室２８ａと、リテーナ４０が装着されるリテーナ装着部２８ｂとを有する。各電線収容室２８ａは、中間壁２９を挟んで上下二列に配置され、各列には、Ｘ軸方向に並ぶように電線Ｗの本数と同数の電線収容室２８ａが配置される。各電線収容室２８ａは、それぞれが電線Ｗを取り囲む形状の内周面を有する筒状を呈し、電線Ｗの軸方向（Ｙ軸方向）に長い形状を有する。リテーナ装着部２８ｂは、上下方向に対をなすように配置され、それぞれがリテーナ４０を装着可能な形状を有する。なお、接続用導体は、必ずしも回路基板１０の表裏面に設けられなくてもよく、その一方の面に設けられればよい。その場合、端子保持部では端子３０が一列にのみ配列されればよく、リテーナ４０も一つでよい。
【００２５】
中間壁２９は、ハウジング２０における上下方向の中間位置に設けられており、その後端から基板収容部２１に向けて延びる形状を有する。この中間壁２９の前部２９ａは、端子保持壁２７とともに端子３０を保持する。またこの中間壁２９の前側の端面は、回路基板１０における第一縁部１１側の端面と当接することにより、当該回路基板１０の挿入位置を決定する。中間壁２９の後部２９ｂは、各端子収容室を上下二列に区画する。
【００２６】
端子３０は、図３〜図７に示すように、電線Ｗの端末に装着されるものであり、電線Ｗと接続される電線接続部３１と、回路基板１０に接続される基板接続部３２とを有する。
【００２７】
電線Ｗは、図略の導体と、これを覆う絶縁被覆とからなり、当該電線Ｗの端末では絶縁被覆が部分的に除去されて導体が露出している。電線接続部３１は、電線Ｗの端末に露出する導体を抱き込むように当該導体と接続され、これにより当該導体と導通する。
【００２８】
基板接続部３２は、四角筒状の本体部３３と、本体部３３内に設けられた第一弾性接触片３４及び第二弾性接触片３５と、本体部３３の内部に設けられた第一付勢部材３６ａ及び第二付勢部材３６ｂとを有し、一方向（図２ではＹ軸方向）に長い形状を有する。本体部３３、第一弾性接触片３４及び第二弾性接触片３５は、電線接続部３１とともに一枚の金属板を折り曲げ加工することにより形成される。
【００２９】
本体部３３は、筒状の部位を形成する上壁３３ａ、第一側壁３３ｂ、第二側壁３３ｃ及び底壁３３ｄと、この筒状の部位の前端側（図５〜図７の右側）を閉塞する前壁３３ｅとを有する。またこの本体部３３は、上壁３３ａの前方寄りに設けられたランスホール３３ｆと、底壁３３ｄの略中央部に設けられた開口部３３ｇとを有する。ランスホール３３ｆは、ランス２７ｂの係止突起２７ｄと係合可能な形状を有する。
【００３０】
第一弾性接触片３４は、本体部３３と一体的に設けられており、一方向（図５〜図７の左右方向）に長い形状を有する。この第一弾性接触片３４は、回路基板１０の第一縁部１１側に設けられた接続用導体と接触する第一接触部３４ａと、本体部３３につながる第一連結部３４ｂと、第一接触部３４ａと第一連結部３４ｂとをつなぐ第一腕部３４ｃとを有する。第一接触部３４ａは、第一弾性接触片３４の一端側（図５〜図７では左側）に設けられており、本体部３３の開口部３３ｇを通じて当該本体部３３の外側に向けて膨出する形状を有する。第一連結部３４ｂは、第一弾性接触片３４の他端側（図５〜図７では右側）に設けられており、本体部３３を形成する金属板の一部が折り曲げられることにより形成される。第一腕部３４ｃは、一方向（図５〜図７の左右方向）に長い形状を有し、一様な厚みを有する。この第一弾性接触片３４は、第一連結部３４ｂを支点として第一接触部３４ａが撓み変位することを許容するように弾性変形が可能である。またこの第一弾性接触片３４は、端子３０及び回路基板１０がハウジング２０に組み込まれて第一接触部３４ａが接続用導体に接触したときに、その第一接触部３４ａが回路基板１０からの反力を受けて当該第一接触部３４ａが本体部３３の内側に没入する。
【００３１】
第二弾性接触片３５は、第一弾性接触片３４と同様に、本体部３３と一体的に設けられており、一方向（図５〜図７の左右方向）に長い形状を有する。第二弾性接触片３５は、第一接触部３４ａが接触する接続用導体と共通の接続用導体と接触する第二接触部３５ａと、本体部３３につながる第二連結部３５ｂと、第二接触部３５ａと第二連結部３５ｂとをつなぐ第二腕部３５ｃとを有する。ここで、「共通の接続用導体」とは、第一接触部３４ａと第二接触部３５ａとに同時に接触可能な形状を有する単一の導体からなるものや、第一接触部３４ａと接触する導体と第二接触部３５ａと接触する導体とが互いに独立した形状を有し、かつ、これらが配線でつながれることにより単一の接続用導体と見ることのできるもの等を含む。この第二弾性接触片３５は、第一弾性接触片３４の固有振動数とは異なる固有振動数となる形状を有する。具体的に、本実施形態では、第二弾性接触片３５は、その第二腕部３５ｃの長手方向の寸法を第一腕部３４ｃのそれよりも長くした形状としている。また、この第二弾性接触片３５は、第二腕部３５ｃの長手方向の寸法が第一腕部３４ｃのそれよりも長い点を除き、基本的に第一弾性接触片３４と同じ形状を有する。すなわち、第二弾性接触片３５も、第一弾性接触片３４と同様に、第二連結部３５ｂを支点として第二接触部３５ａが撓み変位することを許容するように弾性変形が可能である。またこの第二弾性接触片３５は、端子３０及び回路基板１０がハウジング２０に組み込まれて第二接触部３５ａが接続用導体に接触したときに、その第二接触部３５ａが回路基板１０からの反力を受けて当該第二接触部３５ａが本体部３３の内側に没入する。
【００３２】
第一弾性接触片３４及び第二弾性接触片３５は、それぞれの長手方向が平行となるように、この長手方向に直交しかつその厚み方向に直交する方向（図５の上下方向）に隣接して配置される。また第一弾性接触片３４及び第二弾性接触片３５は、第一接触部３４ａ及び第二接触部３５ａが互いに隣接するとともに、第一連結部３４ｂ及び第二連結部３５ｂがそれぞれの長手方向（図５の左右方向）に互いに離間するように配置される。すなわち、第二連結部３５ｂは、第一連結部３４ｂよりも前壁３３ｅ寄りに位置する。
【００３３】
第一付勢部材３６ａは、圧縮状態で本体部３３内に組み込まれており、自身の弾性復帰力によって第一接触部３４ａを本体部３３の内側から外側に向けて付勢するものである。この第一付勢部材３６ａは、一方向（図５の左右方向）に長い形状を有し、その長手方向と第一弾性接触片３４の長手方向とが一致するように、当該第一弾性接触片３４と並んで配置される。第二付勢部材３６ｂは、第一付勢部材３６ａと同様に、圧縮状態で本体部３３内に組み込まれており、自身の弾性復帰力によって第二接触部３５ａを本体部３３の内側から外側に向けて付勢するものである。この第二付勢部材３６ｂは、第一付勢部材３６ａと同形状を有し、その長手方向と第二弾性接触片３５の長手方向とが一致するように、当該第二弾性接触片３５と並んで配置される。
【００３４】
リテーナ４０は、電線Ｗ及び端子３０がハウジング２０に装着された後、電線収容部２８のリテーナ装着部２８ｂに装着される。このリテーナ４０は、Ｘ軸方向に長い形状を有しており、その前端面が端子３０における本体部３３の後端面と当接することにより、当該端子３０の抜け止めを行うものである。
【００３５】
次に、この電子回路ユニットの組み立て方法を説明する。
【００３６】
１）各電線Ｗ及び端子３０の挿入
ハウジング２０に各電線Ｗ及び端子３０を挿入する。具体的には、端子３０の基板接続部３２を電線収容部２８から前方へ向けて挿入し、端子３０の前壁３３ｅを基板収容部２１の前壁２７ｅに当接させる。このとき、ランス２７ｂは、その係止突起２７ｄが端子３０から退避するように撓み係止片２７ｃが弾性変形し、端子３０の挿入完了時点（端子３０の前壁３３ｅが基板収容部２１の前壁２７ｅに当接した時点）でその撓み係止片２７ｃが弾性復帰することにより、係止突起２７ｄが端子３０のランスホール３３ｆに係合する。
【００３７】
２）リテーナ４０の装着
電線収容部２８の各リテーナ装着部２８ｂにリテーナ４０を装着する。これにより、端子３０のハウジング２０からの抜け止めが行われる。
【００３８】
３）回路基板１０の挿入
１）及び２）と並行して、あるいは、前後して、ハウジング２０に回路基板１０を挿入する。具体的には、回路基板１０の第一縁部１１を先頭として当該回路基板１０を基板収容部２１の前方側から後方へ向けて挿入し、その端面を中間壁２９の前部２９ａ側の端面と当接させる。このとき、第一縁部１１の表裏面に設けられた接続用導体と端子３０の第一接触部３４ａ及び第二接触部３５ａとが接触する。そして、第一接触部３４ａ及び第二接触部３５ａが端子３０の本体部３３内へ没入するように第一弾性接触片３４及び第二弾性接触片３５が弾性変形する。この状態で、回路基板１０はその半分がハウジング２０に収容されている。
【００３９】
４）ハウジング同士の接続
１）〜３）の工程の後、ハウジング２０に対し、当該ハウジング２０と対をなす別のハウジング（不図示）及びこれに装着された電線及び端子（不図示）を接続する。これにより、回路基板１０が完全に収容される。
【００４０】
このようにして組み立てられた電子回路ユニットが車両に搭載され、当該車両の走行時等において前記端子３０に起振力が加えられても、当該端子３０の振動に起因する接触不良は回避される。具体的には、本実施形態における端子３０は、従来のものとは異なり、第一弾性接触片３４及び第二弾性接触３５を有し、これらは互いに独立して弾性変形が可能であり、かつ、互いにその固有振動数が異なる形状を有するので、いずれか一方の弾性接触片が共振しても、もう一方の弾性接触片は、共振することなくその接触部が接続用導体と安定的な接触を維持する。つまり、従来の電子回路ユニットは、その端子が単一の弾性接触片を有する構成であったため、当該弾性接触片が共振すると、その接触部と接続用導体との接触信頼性が低下するおそれがあったのに対し、本実施形態の電子回路ユニットは、端子３０と接続用導体との接触信頼性の低下を抑制することができる。
【００４１】
また、本実施形態の端子３０は、第一弾性接触片３４及び第二弾性接触片３５が、それぞれの長手方向に直交しかつそれぞれの厚み方向に直交する方向（図５の上下方向）に隣接して配置されるので、これら両弾性接触片を有する基板接続部３２の長手方向の長さ寸法が短縮される。また、第一弾性接触片３４及び第二弾性接触片３５は、第一接触部３４ａ及び第二接触部３５ａが前記長手方向と直交する方向（図５の上下方向）に互いに隣接するように、第一連結部３４ｂ及び第二連結部３５ｂがそれぞれの長手方向（図５の左右方向）に互いに離間して配置されるので、両接触部の接続用導体への接触が容易となる。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４３】
例えば、上記実施形態では、第二弾性接触片３５の固有振動数を第一弾性接触片３４のそれと異ならせるために、第二腕部３５ｃの長手方向の寸法を第一腕部３４ｃのそれよりも長くした例について示したが、第二弾性接触片３５の厚みと第一弾性接触片３４のそれとを異ならせることにより、両者の固有振動数を異ならせるようにしてもよい。
【００４４】
また、本発明の端子が組み込まれるコネクタは、カードエッジコネクタに限定されない。
【符号の説明】
【００４５】
１０    回路基板
１１    第一縁部
１２    第二縁部
１２ａ  接続用導体
２０    ハウジング
２１    基板収容部
２２    上壁
２２ａ  係止部
２２ｂ  案内壁
２２ｃ  被係止部
２３    第一側壁
２３ａ  溝
２４    第二側壁
２４ａ  案内壁
２４ｂ  突部
２５    底壁
２５ａ  係止部
２６    後壁
２７    端子保持壁
２７ａ  端子案内部
２７ｂ  ランス
２７ｃ  撓み係止片
２７ｄ  係止突起
２７ｅ  前壁
２８    電線収容部
２８ａ  電線収容室
２８ｂ  リテーナ装着部
２９    中間壁
２９ａ  前部
２９ｂ  後部
３０    端子
３１    電線接続部
３２    基板接続部
３３    本体部
３３ａ  上壁
３３ｂ  第一側壁
３３ｃ  第二側壁
３３ｄ  底壁
３３ｅ  前壁
３３ｆ  ランスホール
３３ｇ  開口部
３４    第一弾性接触片
３４ａ  第一接触部
３４ｂ  第一連結部
３４ｃ  第一腕部
３５    第二弾性接触片
３５ａ  第二接触部
３５ｂ  第二連結部
３５ｃ  第二腕部
３６ａ  第一付勢部材
３６ｂ  第二付勢部材
４０    リテーナ
【図１】
0005742741.tif 000002
【図２】
0005742741.tif 000003
【図３】
0005742741.tif 000004
【図４】
0005742741.tif 000005
【図５】
0005742741.tif 000006
【図６】
0005742741.tif 000007
【図７】
0005742741.tif 000008
【図８】
0005742741.tif 000009
【図９】
0005742741.tif 000010